(57)【特許請求の範囲】
【請求項１】
水処理方法であって、
シネドラアクスを１×１０２〜１×１０６ｃｅｌｌｓ／ｍＬ含有する原水に次亜塩素酸ナトリウム及び凝集剤を添加する添加工程を備え、
前記原水が、湖水、沼水、および、河川水からなる群より選ばれた１種以上の水を含み、
前記次亜塩素酸ナトリウム及び前記凝集剤が添加された前記原水を膜ユニットに供給し該膜ユニットで膜処理する膜処理工程を更に備えており、
前記添加工程では、前記原水に前記次亜塩素酸ナトリウムを１回又は複数回添加し、前記原水に対する前記次亜塩素酸ナトリウムの添加量を１ｍｇ／Ｌ以上とし、
前記膜処理工程では、前記次亜塩素酸ナトリウムの添加量が１ｍｇ／Ｌ以上となった時点から１０〜３１分経過した前記原水を前記膜ユニットに供給して前記膜処理を実施する、水処理方法。
【請求項２】
前記膜ユニットが、精密ろ過膜又は限外ろ過膜を有する、請求項１記載の水処理方法。
【請求項３】
水処理装置であって、
シネドラアクスを１×１０２〜１×１０６ｃｅｌｌｓ／ｍＬ含有する原水に次亜塩素酸ナトリウム及び凝集剤を添加する添加部を備え、
前記原水が、湖水、沼水、および、河川水からなる群より選ばれた１種以上の水を含み、
前記次亜塩素酸ナトリウム及び前記凝集剤が添加された前記原水を膜処理する膜ユニットを更に備えており、
前記添加部は、前記原水に前記次亜塩素酸ナトリウムを１回又は複数回添加し、前記原水に対して前記次亜塩素酸ナトリウムを１ｍｇ／Ｌ以上添加する添加部であり、
前記膜ユニットは、前記次亜塩素酸ナトリウムの添加量が１ｍｇ／Ｌ以上となった時点から１０〜３１分経過した前記原水を膜処理する膜ユニットである、水処理装置。
【発明の詳細な説明】
【技術分野】
【０００１】
本発明は、水処理方法、及び、水処理装置に関する。
【背景技術】
【０００２】
従来、湖沼等から採取した原水を精密ろ過膜（ＭＦ膜）又は限外ろ過膜（ＵＦ膜）で膜処理することにより、上水が得られている。
ところで、湖沼等から採取した原水にはシネドラアクス（Synedra acus）が含有されていることがあるが、シネドラアクスが含有されている原水を精密ろ過膜（ＭＦ膜）又は限外ろ過膜（ＵＦ膜）で膜処理すると、シネドラアクスによって膜が目詰まりしやすくなるという問題がある。
このような問題から、原水に紫外線を照射することによりシネドラアクスの外殻を破壊し、紫外線が照射された原水に凝集剤を添加することによりシネドラアクスが凝集したフロックを形成し、該フロックを有する原水から加圧浮上法によってフロックを除去し、フロックが除去された原水を膜処理する方法及び装置が提案されている（特許文献１）。
【先行技術文献】
【特許文献】
【０００３】
【特許文献１】特開平８−９９０８３号公報
【発明の概要】
【発明が解決しようとする課題】
【０００４】
しかしながら、特許文献１のような方法及び装置以外には、シネドラアクスを含有する原水を膜処理しても膜が目詰まりし難い方法が十分に検討されておらず、膜の目詰まりを抑制できる、さらなる方法及び装置が望まれうる。
【０００５】
本発明は、上記要望点に鑑み、膜の目詰まりを抑制し得る、水処理方法及び水処理装置を提供することを課題とする。
【課題を解決するための手段】
【０００６】
本発明に係る水処理方法は、シネドラアクスを含有する原水に次亜塩素酸ナトリウムを１回又は複数回添加する添加工程と、
前記次亜塩素酸ナトリウムが添加された前記原水を膜ユニットに供給し該膜ユニットで膜処理する膜処理工程とを備えている。
【０００７】
斯かる水処理方法によれば、前記次亜塩素酸ナトリウムが添加された前記原水を前記膜ユニットに供給して前記膜処理を実施することにより、膜の目詰まりを抑制し得る。
【０００８】
本発明に係る水処理方法では、前記膜ユニットが、精密ろ過膜又は限外ろ過膜を有してもよい。
【０００９】
さらに、本発明に係る水処理方法において、前記添加工程では、前記原水に対する前記次亜塩素酸ナトリウムの添加量を１ｍｇ／Ｌ以上とし、
前記膜処理工程では、前記添加量が１ｍｇ／Ｌ以上となった時点から１０分以上経過した前記原水を前記膜ユニットに供給して前記膜処理を実施してもよい。
【００１０】
斯かる水処理方法によれば、前記次亜塩素酸ナトリウムの添加量が１ｍｇ／Ｌ以上となった時点から１０分以上経過した前記原水を前記膜ユニットに供給して前記膜処理を実施することにより、膜の目詰まりをより一層抑制し得る。
【００１１】
また、本発明に係る水処理装置は、シネドラアクスを含有する原水に次亜塩素酸ナトリウムを１回又は複数回添加する添加部と、
前記次亜塩素酸ナトリウムが添加された前記原水を膜処理する膜ユニットとを備えている。
【発明の効果】
【００１２】
本発明によれば、膜の目詰まりを抑制し得る、水処理方法及び水処理装置を提供し得る。
【図面の簡単な説明】
【００１３】
【図１】一実施形態に係る水処理装置の概略図。
【図２】他実施形態に係る水処理装置の概略図。
【図３】他実施形態に係る水処理装置の概略図。
【図４】他実施形態に係る水処理装置の概略図。
【図５】他実施形態に係る水処理装置の概略図。
【図６】槽の平面図（数値は、表１に示す数値に対応し、原水を採取した位置を示す。）。
【発明を実施するための形態】
【００１４】
以下、添付図面を参照しつつ、本発明の一実施形態について説明する。
【００１５】
本実施形態に係る水処理方法は、シネドラアクスを含有する原水に次亜塩素酸ナトリウムを１回又は複数回添加する添加工程と、前記次亜塩素酸ナトリウムが添加された前記原水を膜ユニットに供給し該膜ユニットで膜処理する膜処理工程とを備えている。
また、本実施形態に係る水処理方法は、前記膜ユニットの膜を洗浄水によって逆洗する逆洗工程をさらに備えている。
【００１６】
前記膜ユニットは、膜を有する。前記膜としては、精密ろ過膜（ＭＦ膜）、限外ろ過膜（ＵＦ膜）等が挙げられる。
ＭＦ膜、ＵＦ膜としては、有機膜、無機膜が挙げられる。
前記有機膜としては、ＰＶＤＦ（ポリフッ化ビニリデン）、セルロース、ポリアミド、ポリビニールアルコール、ポリテトラフルオロエチレン、ポリアクリロニトリル等が挙げられる。前記セルロースとしては、酢酸セルロース等が挙げられる。前記ポリアミドとしては、芳香族ポリアミド等が挙げられる。
前記無機膜としては、セラミック等が挙げられる。
【００１７】
前記添加工程では、前記原水に対する前記次亜塩素酸ナトリウムの添加量を１ｍｇ／Ｌ以上とし、前記膜処理工程では、前記次亜塩素酸ナトリウムの添加量が１ｍｇ／Ｌ以上となった時点から１０分以上経過した前記原水を前記膜ユニットに供給して前記膜処理を実施することが好ましい。また、前記膜処理工程では、前記次亜塩素酸ナトリウムの添加量が１ｍｇ／Ｌ以上となった時点から３０分以上経過した前記原水を前記膜ユニットに供給して前記膜処理を実施することがより好ましい。
【００１８】
また、本実施形態に係る水処理装置は、シネドラアクスを含有する原水に次亜塩素酸ナトリウムを１回又は複数回添加する添加部と、前記次亜塩素酸ナトリウムが添加された前記原水を膜処理する膜ユニットとを備えている。
【００１９】
本実施形態に係る水処理方法では、水処理装置を用いる。
本実施形態に係る水処理装置は、原水に次亜塩素酸ナトリウムを添加する添加部と、前記供給部で次亜塩素酸ナトリウムが添加された原水を収容する槽と、該槽で収容された原水をＭＦ膜又はＵＦ膜によってろ過することにより透過水を得る膜ユニットとを備えている。前記槽は、原水を１０分以上滞留し得る槽であることが好ましく、原水を３０分以上滞留し得る槽であることがより好ましい。
【００２０】
具体的には、図１に示すように、前記水処理装置１は、原水を収容する第１槽１０と、次亜塩素酸ナトリウムが添加された原水を収容する第２槽２０と、原水を第１槽１０から第２槽２０に移送しつつ次亜塩素酸ナトリウムを添加する添加部たる移送経路５０と、該第２槽２０で収容された原水をＭＦ膜又はＵＦ膜によってろ過することにより透過水を得る膜ユニット６０と、該透過水を収容する第３槽３０と、前記膜ユニット６０の膜を逆洗するための薬液を貯留する第４槽４０とを備えている。
また、前記水処理装置１は、前記薬液と前記透過水とを混合して洗浄水を得、該洗浄水で逆洗するように構成されている。
さらに、前記水処理装置１は、前記第２槽２０内の原水を撹拌する撹拌部２１をさらに備えている。
【００２１】
前記膜ユニット６０は、ＭＦ膜又はＵＦ膜を有する浸漬型膜モジュール６１と、該浸漬型膜モジュール６１及び原水を収容し該浸漬型膜モジュール６１を原水に浸漬させる第５槽６２と、前記浸漬型膜モジュール６１に散気する散気装置６３と、第５槽６２内の底部に接続され、該第５槽６２の原水を水処理装置１外に移送する移送経路６５とを有する。
前記散気装置６３は、前記浸漬型膜モジュール６１に散気するための散気管６３ａと、該散気管６３ａに空気を供給するコンプレッサー６３ｂとを有する。
【００２２】
本実施形態に係る水処理方法では、前記移送経路５０により第１槽１０から第２槽２０に原水を移送しつつ、原水に次亜塩素酸ナトリウムＡを１回又は複数回添加する（添加工程）。
【００２３】
該原水としては、例えば、湖水（例えば、ダム湖水等）、沼水、河川水などが挙げられる。該原水は、シネドラアクスを１×１０２ｃｅｌｌｓ／ｍＬ以上含有し、より具体的には、１×１０２〜１×１０６ｃｅｌｌｓ／ｍＬ含有し、さらに具体的には、１×１０３〜１×１０５ｃｅｌｌｓ／ｍＬ含有する。
なお、原水におけるシネドラアクス濃度は、顕微鏡と細胞計数盤とを用いて測定することができる。
【００２４】
前記原水１Ｌに添加する次亜塩素酸ナトリウムの量（ｍｇ）は、１ｍｇ／Ｌ以上であることが重要であり、好ましくは、１〜１０ｍｇ／Ｌ、より好ましくは１〜４ｍｇ／Ｌである。
【００２５】
本実施形態に係る水処理方法では、前記膜処理工程の前に、原水に凝集剤Ｂを添加してもよい。具体的には、前記移送経路５０での原水の移送の際に、原水に凝集剤Ｂを添加してもよい。
シネドラアクスは活性が低下すると凝集剤による凝集性が良好となるので（上記引用文献１参照）、活性が低下したシネドラアクスと、凝集剤とが接触することにより凝集効果を高めることができる。その結果、より一層膜の詰まりを抑制できる。
該凝集剤としては、無機凝集剤や、高分子凝集剤が挙げられる。前記無機凝集剤としては、ポリ塩化アルミニウム（ＰＡＣ）、硫酸アルミニウム、塩化第二鉄、硫酸第一鉄等が挙げられる。前記高分子凝集剤としては、アルギン酸ナトリウム、ポリアクリルアミド部分加水分解物等が挙げられる。
前記原水１Ｌに添加する凝集剤の量（ｍｇ）は、好ましくは１ｍｇ／Ｌ以上であり、より好ましくは、１〜２０ｍｇ／Ｌ、さらにより好ましくは１〜５ｍｇ／Ｌである。
前記凝集剤Ｂの添加は、前記次亜塩素酸ナトリウムＡの添加の後に実施するのが好ましい。シネドラアクスは活性が低下すると凝集剤による凝集性が良好となるので（上記引用文献１参照）、シネドラアクスの活性を低下させた後に、この原水に凝集剤を添加することによって凝集効果をより一層高めることができる。その結果、より一層膜の詰まりを抑制できる。
【００２６】
次に、本実施形態に係る水処理方法では、次亜塩素酸ナトリウムが添加された原水を膜ユニット６０に供給する前に第２槽２０に一時的に収容する。これにより、原水を膜ユニット６０に供給するまでの、シネドラアクスと次亜塩素酸ナトリウムとの接触時間を長くすることができる。
また、本実施形態に係る水処理方法では、第２槽２０に収容される原水を撹拌部２１で撹拌する。これにより、次亜塩素酸ナトリウムと原水とが十分に混合され、原水に含まれるシネドラアクスが次亜塩素酸ナトリウムと接触しやすくなる。
【００２７】
そして、本実施形態に係る水処理方法では、前記第２槽２０で収容された原水を前記膜ユニット６０に移送する。言い換えれば、前記第２槽２０で収容された原水を前記第５槽６２に移送する。
【００２８】
その後、前記原水を前記膜ユニット６０で膜ろ過することにより浄化水たる透過水を得る（前記膜処理工程）。
前記膜処理工程は、前記次亜塩素酸ナトリウムの添加量が１ｍｇ／Ｌ以上となった時点から１０分以上経過した前記原水を前記膜ユニットに供給して前記膜処理を実施することが好ましい。
言い換えれば、本実施形態に係る水処理方法では、前記次亜塩素酸ナトリウムの添加量が１ｍｇ／Ｌ以上となった時点から前記原水を前記膜ユニット６０に供給するまでの時間を１０分以上とすることが好ましい。
なお、“原水を膜ユニット６０に供給するまで”とは、“原水が膜ユニット６０に到達する時（“原水が第５槽６２に到達する時”）まで”を意味する。
前記膜処理工程は、前記次亜塩素酸ナトリウムの添加量が１ｍｇ／Ｌ以上となった時点から３０分以上経過した前記原水を前記膜ユニットに供給して前記膜処理を実施することがより好ましい。
【００２９】
本実施形態に係る水処理方法に用いる前記水処理装置１は、原水に次亜塩素酸ナトリウムを供給する地点から膜ユニット６０（第５槽６２）に到達するまでの時間を１０分以上確保させる上において、原水に次亜塩素酸ナトリウムを供給する地点から膜ユニット６０（第５槽６２）直前までの原水の収容量（Ｌ）が、膜ユニット６０（第５槽６２）に供給する原水の平均流速（Ｌ／分）に１０分を乗じた量よりも大きくなるように構成されていることが好ましく、膜ユニット６０（第５槽６２）に供給する原水の平均流速（Ｌ／分）に３０分を乗じた量よりも大きくなるように構成されていることがより好ましい。
また、前記水処理装置１は、膜ユニット６０に供給する原水の流速に時間変動が生じるような場合において、原水に次亜塩素酸ナトリウムを供給する地点から膜ユニット６０（第５槽６２）直前までの原水の収容量（Ｌ）が、膜ユニット６０（第５槽６２）に供給する原水の最大流速（Ｌ／分）に１０分を乗じた量よりも大きくなるように構成されていることがより好ましく、膜ユニット６０（第５槽６２）に供給する原水の最大流速（Ｌ／分）に３０分を乗じた量よりも大きくなるように構成されていることがさらにより好ましい。
【００３０】
また、前記膜処理工程で膜を透過させる水の流束は、０．８〜５．０ｍ／ｄが好ましい。前記膜が有機膜である場合には、前記流束は、０．８〜１．５ｍ／ｄが好ましく、０．８〜１．０ｍ／ｄがより好ましい。前記膜が無機膜である場合には、前記流束は、２．０〜５．０ｍ／ｄが好ましい。
【００３１】
さらに、前記膜処理工程では、第２槽２０での原水の平均滞留時間が１０分以上であることが好ましく、３０分以上であることがより好ましい。また、第２槽２０で貯留する原水の最小の量が、前記膜ユニット６０の膜を透過させる水の最大流束に１０分を乗じた水の量よりも大きいことが好ましく、前記膜ユニット６０の膜を透過させる水の最大流束に３０分を乗じた水の量よりも大きいことが好ましい。
【００３２】
さらに、前記膜処理工程では、前記膜処理をしつつ、浸漬型膜モジュール６１に空気を供給することにより浸漬型膜モジュール６１の膜表面に付着した付着物を剥離してもよい。
前記空気の供給は、前記散気装置６３によって行う。具体的には、コンプレッサー６３ｂにより散気管６３ａを介して空気を浸漬型膜モジュール６１に供給する。
【００３３】
前記逆洗工程では、前記透過水と前記薬液とを混合して洗浄水を得、該洗浄水で膜ユニットの膜を逆浄する。
前記薬液に含まれる洗浄剤としては、次亜塩素酸ナトリウム、硫酸、クエン酸、水酸化ナトリウム等が挙げられる。
洗浄剤として次亜塩素酸ナトリウムを用いる場合には、洗浄水における次亜塩素酸ナトリウムの濃度は、１〜５ｍｇ／Ｌが好ましい。
【００３４】
本実施形態に係る水処理方法は、上記のように構成されているので、以下の利点を有するものである。
【００３５】
即ち、本実施形態に係る水処理方法は、シネドラアクスを含有する原水に次亜塩素酸ナトリウムＡを１回又は複数回添加する添加工程と、前記次亜塩素酸ナトリウムＡが添加された前記原水を膜ユニット６０に供給し該膜ユニット６０で膜処理する膜処理工程とを備えている。
斯かる水処理方法によれば、前記次亜塩素酸ナトリウムが添加された前記原水を前記膜ユニット６０に供給して前記膜処理を実施することにより、膜の目詰まりを抑制し得る。
斯かる水処理方法のように、原水と次亜塩素酸ナトリウムとを接触させると膜が目詰まりし難くなるのは、シネドラアクスが次亜塩素酸ナトリウムと接触することによりシネドラアクスの活性が低下することによるものと考えられる。シネドラアクスの活性を低下させることが膜の目詰まりの抑制に具体的にどのように作用しているかまでは十分に解明できていないが、シネドラアクスの活性を低下させることによりシネドラアクスから代謝物質（粘性物質）が分泌され難くなり、その結果、膜表面にシネドラアクスが固着し難くなることが要因のひとつとして考えられる。
【００３６】
また、本実施形態に係る水処理方法では、前記膜ユニットは、精密ろ過膜又は限外ろ過膜を有する。
斯かる水処理方法は、精密ろ過膜又は限外ろ過膜を用いる態様において好適に用いられる。
【００３７】
さらに、本実施形態に係る水処理方法は、前記添加工程で、前記原水に対する前記次亜塩素酸ナトリウムＡの添加量を１ｍｇ／Ｌ以上とし、前記膜処理工程で、前記添加量が１ｍｇ／Ｌ以上となった時点から１０分以上経過した前記原水を前記膜ユニット６０に供給して前記膜処理を実施する。
斯かる水処理方法によれば、前記次亜塩素酸ナトリウムの添加量が１ｍｇ／Ｌ以上となった時点から１０分以上経過した前記原水を前記膜ユニット６０に供給して前記膜処理を実施することにより、膜の目詰まりをより一層抑制し得る。
斯かる水処理方法のように、原水と次亜塩素酸ナトリウムとの接触時間が長いと膜が目詰まりし難くなるのは、シネドラアクスが次亜塩素酸ナトリウムと長時間接触することによりシネドラアクスの活性が低下することによるものと考えられる。シネドラアクスの活性を十分に低下させることによりシネドラアクスから代謝物質（粘性物質）が分泌され難くなり、その結果、膜表面にシネドラアクスがより一層固着し難くなることが要因のひとつとして考えられる。
【００３８】
なお、本発明に係る水処理方法は、上記実施形態に限定されるものではない。また、本発明に係る水処理方法は、上記した作用効果に限定されるものでもない。本発明に係る水処理方法は、本発明の要旨を逸脱しない範囲で種々の変更が可能である。
【００３９】
すなわち、本実施形態に係る水処理方法及び水処理装置では、膜が浸漬されるタイプの膜ユニット６０を用いるが、本発明に係る水処理方法では、膜が浸漬されるタイプ以外の膜ユニットを用いてもよい。すなわち、図２に示すように、本発明に係る水処理方法及び水処理装置１では、ＭＦ膜又はＵＦ膜の膜７１と、該膜を収容する筐体７２とを備える膜ユニット７０を用いる態様であってもよい。
この場合は、“原水を膜ユニット７０に供給するまで”とは、“原水が膜ユニット７０に到達する時（“原水が筐体７１に到達する時”）まで”を意味する。
【００４０】
また、本実施形態に係る水処理方法及び水処理装置では、移送経路５０で原水に次亜塩素酸ナトリウムＡを添加するが、図３に示すように、本発明に係る水処理方法及び水処理装置１では、第１槽１０で原水に次亜塩素酸ナトリウムＡを添加してもよい。この場合、前記水処理装置１は、前記第１槽１０内の原水を撹拌する撹拌部１１をさらに備えている。
【００４１】
さらに、本実施形態に係る水処理方法及び水処理装置では、移送経路５０で原水に凝集剤Ｂを添加するが、図４に示すように、本発明に係る水処理方法及び水処理装置１では、次亜塩素酸ナトリウムが添加された原水を第２槽２０で所定時間（例えば、１０分以上）滞留させた後（次亜塩素酸ナトリウムとシネドラアクスとを第２槽２０で所定時間接触させた後）、第２槽２０で原水に凝集剤Ｂを添加してもよい。この場合、凝集剤Ｂの添加後に、第２槽２０内を撹拌し、第２槽２０でシネドラアクスを添加剤Ｂで凝集させる。
シネドラアクスは活性が低下すると凝集剤による凝集性が良好となるので（上記引用文献１参照）、シネドラアクスの活性を低下させた後に、この原水に凝集剤を添加することにより凝集効果を高めることができる。その結果、より一層膜の詰まりを抑制できる。よって、この実施形態のように、次亜塩素酸ナトリウムが添加された原水を第２槽２０で所定時間滞留させた後（次亜塩素酸ナトリウムとシネドラアクスとを第２槽２０で所定時間接触させた後）、第２槽２０で凝集剤Ｂを添加することにより、シネドラアクスを十分に凝集させることができ、膜の目詰まりをより一層抑制することができる。次亜塩素酸ナトリウムと原水を接触させる際、撹拌を行っても良い。
本実施形態においては、前記次亜塩素酸ナトリウムの添加量が１ｍｇ／Ｌ以上となった時点から１０分以上経過した前記原水に添加剤Ｂを添加するのが好ましい。
【００４２】
また、図５に示すように、他の実施形態に係る水処理装置１は、第２槽２０とは別に、原水に添加剤Ｂを添加する槽８０を備えてもよい。前記第２槽２０を用いて原水と次亜塩素酸ナトリウムＡとを所定時間（例えば、１０分以上）接触させた後、槽８０で原水に凝集剤Ｂを添加し、槽８０内を撹拌し、槽８０でシネドラアクスを添加剤Ｂで凝集させてもよい。この場合、前記水処理装置１は、前記槽８０内の原水を撹拌する撹拌部８１をさらに備えている。また、前記第１槽１０が前記第２槽２０を兼ねてもよい。
【実施例】
【００４３】
次に、実施例および比較例を挙げて本発明についてさらに具体的に説明する。
【００４４】
（原水の作製）
ダム湖から採取した水１ｍ３と、培養したシネドラアクスを含有する水（シネドラアクス濃度：約１×１０６個／ｍＬ）１０Ｌとを槽（正面視：台形状、側面視：台形状、平面視：長方形状、底面視：長方形状）（上部開口部：１２４ｃｍ（縦）×１４８ｃｍ（横））（底面部：１１２ｃｍ（縦）×１３８ｃｍ（横））（高さ：６４ｃｍ）に入れ、ポンプ２台を用いて混合することにより、シネドラアクス約１×１０４個／ｍＬを含有する原水を作製した。
そして、図６と表１とに示す槽内の位置から原水を採取し、顕微鏡と細胞計数盤とを用いて各位置における原水のシネドラアクス濃度を測定した。なお、原水の採取は、原水の調整直後、及び、調整後１１．５時間経過時に行った。
結果を下記表１に示す。
【００４５】
【表１】
0006263514.tif 000002
【００４６】
表１に示すように、槽内における原水のシネドラアクス濃度が均一となっていることが確認できた。
【００４７】
（実施例１）
図１に示す水処理装置を用い、表２に示す条件で上記原水から透過水を１．０日間得た。
また、膜間差圧を４秒ごとに測定し、膜間差圧上昇速度を算出した。結果を表２に示す。
なお、膜間差圧上昇速度は、膜処理終了時の膜間差圧から膜処理開始時の膜間差圧を引き、その値を膜処理時間で割った値を意味する。
また、表２の接触時間とは、“原水に次亜塩素酸ナトリウムを１ｍｇ／Ｌ以上添加した時”から、“原水が膜ユニット６０に到達する時”（“原水が第５槽６２に到達する時”）までの時間を意味する。
また、第２槽の仕様は以下の通りである。
寸法：２００ｍｍ（縦）×２００ｍｍ（横）×４００ｍｍ（高さ）（有効高さ：３２５ｍｍ）
容量：１４Ｌ
さらに、膜ユニットの仕様は以下の通りである。
膜ユニットの槽（第５槽）：１．２ｍ（縦）×１．２ｍ（横）×１．９ｍ（高さ）
浸漬型膜モジュールの寸法：φ３８ｍｍ×５５０ｍｍ
浸漬型膜モジュールの膜面積：０．６２ｍ２
浸漬型膜モジュールの膜の材質：ポリフッ化ビニリデン（ＰＶＤＦ）
【００４８】
（実施例２）
第２槽を除いた水処理装置を用い、表２に示す条件で水処理したこと以外は、実施例１と同様にして原水から透過水を１．０日間得た。また、膜間差圧を４秒ごとに測定し、膜間差圧上昇速度を算出した。結果を表２に示す。
【００４９】
【表２】
0006263514.tif 000003
【００５０】
表２に示すように、実施例１の水処理方法は、実施例２の水処理方法に比べて、膜間差圧上昇速度が小さかった。
よって、シネドラアクスと次亜塩素酸ナトリウムとの接触時間を長くすれば、膜の目詰まりをより一層抑制し得ることがわかる。
【００５１】
（試験例）
上記原水（シネドラアクス濃度：約１×１０４個／ｍＬ）に次亜塩素酸ナトリウムを有効塩素濃度１ｍｇ／Ｌで添加し、該添加前、並びに、該添加から５分後、１０分後、１５分後、及び、３０分後のシネドラアクスの活性の状態を、蛍光顕微鏡を用いてＧ励起法で観察した。
Ｇ励起法によれば、活性がある部分には赤い発色が見られる。シネドラアクスの活性の状態を以下の基準で０〜３段階で評価した。
評価０：ほとんどの部分が赤く発色した。
評価１：発色していない部分があったが、ある程度の領域が赤く発色した。
評価２：極一部のみが赤く発色した。
評価３：赤い発色が確認されなかった。
【００５２】
＜結果＞
添加前：評価０
添加５分後：評価１
添加１０分後：評価２
添加１５分後：評価３
添加３０分後：評価３
【００５３】
上記試験例の結果から、シネドラアクスと次亜塩素酸ナトリウムとの接触時間が長くなるに従い、シネドラアクスの活性が低下することがわかる。
原水と次亜塩素酸ナトリウムとを接触させると膜が目詰まりし難くなるのは、シネドラアクスが次亜塩素酸ナトリウムと接触することによりシネドラアクスの活性が低下することによるものと考えられる。
また、上記試験例の結果から、シネドラアクスを次亜塩素酸ナトリウムと長時間接触させることでシネドラアクスの活性を顕著に低下させることができることがわかる。
さらに、上記試験例の結果から、シネドラアクスと次亜塩素酸ナトリウムとの接触時間は、１０分以上が好ましく、１５分以上が特に好ましいことがわかる。
なお、上記実施例においては、次亜塩素酸ナトリウムと凝集剤とをほぼ同時に原水に添加しているが、本発明においては、次亜塩素酸ナトリウムを原水に添加して、所定時間（例えば、１０分）経過後に凝集剤を添加することが好ましい。シネドラアクスは活性が低下すると凝集剤による凝集性が良好となるので（上記引用文献１参照）、シネドラアクスの活性を低下させた後に、この原水に凝集剤を添加することにより凝集効果を高めることができる。その結果、より一層膜の詰まりを抑制できる。
【符号の説明】
【００５４】
Ａ：次亜塩素酸ナトリウム、Ｂ：凝集剤、
１：水処理装置、１０：第１槽、１１：撹拌部、２０：第２槽、２１：撹拌部、３０：第３槽、４０：第４槽、５０：移送経路、６０：膜ユニット、６１：浸漬型膜モジュール、６２：第５槽、６３：散気装置、６３ａ：散気管、６３ｂ：コンプレッサー、６５：移送経路、７０：膜ユニット、７１：膜、７２：筐体、８０：槽、８１：撹拌部
【図１】
0006263514.tif 000004
【図２】
0006263514.tif 000005
【図３】
0006263514.tif 000006
【図４】
0006263514.tif 000007
【図５】
0006263514.tif 000008
【図６】
0006263514.tif 000009